【手続補正書】
【提出日】平成19年3月7日(2007.3.7)
【手続補正１】
【補正対象書類名】特許請求の範囲
【補正対象項目名】全文
【補正方法】変更
【補正の内容】
【特許請求の範囲】
【請求項１】
景品払い出し情報に基づいて、景品部材を積層して収納する景品収納部に収納された景品部材を搬送して払い出す景品払出機において、
所定の指示に基づいて、前記景品収納部に収納された景品部材を払い出し可能な状態を解除する制御手段を具備することを特徴とする景品払出機。
【請求項２】
前記景品払出機が、前記景品収納部を１つまたは複数有して構成される景品カートリッジを備えていることを特徴とする請求項１記載の景品払出機。
【請求項３】
前記景品払出機が、前記景品収納部に収納された景品部材および/または前記景品カートリッジを移動可能な移動機構を備えることを特徴とする請求項２記載の景品払出機。
【請求項４】
前記景品払出機が、
施錠機構を有し、前記景品カートリッジを挿入する景品カートリッジ挿入口を閉鎖する開閉扉をさらに具備し、
前記制御手段が、所定の指示に基づいて、施錠された前記施錠機構を開錠し、前記開閉扉を開扉可能にすることを特徴とする請求項２または３記載の景品払出機。
【請求項５】
前記開閉扉が、前記施錠機構の開錠に伴って自動的に開扉することを特徴とする請求項４記載の景品払出機。
【請求項６】
前記開閉扉に備えられた施錠機構が、前記開閉扉の閉扉によって自動的に施錠されることを特徴とする請求項４または５記載の景品払出機。
【請求項７】
前記景品払出機が、
前記景品収納部の景品部材の有無を検知する景品部材検知手段をさらに具備し、
前記所定の指示が、前記景品部材検知手段から出力される情報に基づくものであることを特徴とする請求項１乃至６のいずれか１項記載の景品払出機。
【請求項８】
前記景品払出機が、
前記景品カートリッジを挿入する側に設けられた背面扉の開扉を検知する開扉検知手段をさらに具備し、
前記所定の指示が、前記開扉検知手段から出力される情報に基づくものであることを特徴とする請求項２乃至７のいずれか１項記載の景品払出機。
【請求項９】
景品と交換すべく遊技媒体数に対応する遊技媒体数情報を入力する遊技媒体数情報入力手段と、
前記遊技媒体数情報入力手段で入力された遊技媒体数情報から景品払出情報を算出し、該景品払出情報を出力する景品情報出力手段と
を備える景品管理装置と、
前記景品管理装置からの景品払い出し情報に基づいて、景品部材を積層して収納する景品収納部に収納された景品部材を搬送して払い出し可能であり、所定の指示に基づいて、該払い出し可能な状態を解除する制御手段を備え、前記景品管理装置と通信可能に接続された景品払出機と
を具備することを特徴とする景品払出システム。
【請求項１０】
前記景品払出機が、前記景品収納部を１つまたは複数有して構成される景品カートリッジを備えていることを特徴とする請求項９記載の景品払出システム。
【請求項１１】
前記景品払出機が、前記景品収納部に収納された景品部材および/または前記景品カートリッジを移動可能な移動機構を備えることを特徴とする請求項１０記載の景品払出システム。
【請求項１２】
前記景品払出機が、
施錠機構を有し、前記景品カートリッジを挿入する景品カートリッジ挿入口を閉鎖する開閉扉をさらに具備し、
前記制御手段が、所定の指示に基づいて、施錠された前記施錠機構を開錠し、前記開閉扉を開扉可能にすることを特徴とする請求項１０および１１記載の景品払出システム。
【請求項１３】
前記開閉扉が、前記施錠機構の開錠に伴って自動的に開扉することを特徴とする請求項１２記載の景品払出システム。
【請求項１４】
前記開閉扉に備えられた施錠機構が、前記開閉扉の閉扉によって自動的に施錠されることを特徴とする請求項１２または１３記載の景品払出システム。
【請求項１５】
前記景品払出機が、
前記景品収納部の景品部材の有無を検知する景品部材検知手段をさらに具備し、
前記所定の指示が、前記景品部材検知手段から出力される情報に基づくものであることを特徴とする請求項９乃至１４のいずれか１項記載の景品払出システム。
【請求項１６】
前記景品払出機が、
前記景品カートリッジを挿入する側に設けられた背面扉の開扉を検知する開扉検知手段をさらに具備し、
前記所定の指示が、前記開扉検知手段から出力される情報に基づくものであることを特徴とする請求項１０乃至１５のいずれか１項記載の景品払出システム。
【手続補正２】
【補正対象書類名】明細書
【補正対象項目名】０００８
【補正方法】変更
【補正の内容】
【０００８】
上記目的を達成するために、本発明の景品払出機は、景品払い出し情報に基づいて、景品部材を積層して収納する景品収納部に収納された景品部材を搬送して払い出す景品払出機において、所定の指示に基づいて、前記景品収納部に収納された景品部材を払い出し可能な状態を解除する制御手段を具備することを特徴とする。
【手続補正３】
【補正対象書類名】明細書
【補正対象項目名】０００９
【補正方法】変更
【補正の内容】
【０００９】
この発明によれば、制御手段において、所定の指示に基づいて、景品払出機からの景品部材の払い出し可能な状態を解除することができる。ここで、景品部材の払い出し可能な状態を解除するとは、例えば、払い出しが可能な景品収納部の設定位置や、景品収容部に収容された景品部材を払い出しが可能な位置から、払い出しが不可能な位置に移動することを言う。また、この景品収納部からの払い出しが不可能な位置は、景品収納部から景品部材を払い出し部に搬送できない位置や、景品収納部を景品払出機から外部に取り出し可能な位置などを含む。
【手続補正４】
【補正対象書類名】明細書
【補正対象項目名】００１０
【補正方法】変更
【補正の内容】
【００１０】
ここで、所定の指示とは、例えば、景品収納部の景品部材の有無を検知する景品部材検知手段から出力される情報に基づく情報、景品カートリッジの取り出しを指示する取出入力手段から出力される情報に基づく情報、景品カートリッジを挿入する側に設けられた景品払出機の背面扉の開扉を検知する開扉検知手段から出力される情報に基づく情報などが挙げられるが、これらに限られるものではなく、景品払出機に接続された、例えば、景品管理機（ＰＯＳ）などの外部機器からの情報に基づくものであってもよい。
【手続補正５】
【補正対象書類名】明細書
【補正対象項目名】００１１
【補正方法】変更
【補正の内容】
【００１１】
また、本発明の景品払出機は、前記景品収納部を１つまたは複数有して構成される景品カートリッジを備えていることを特徴とする。
【手続補正６】
【補正対象書類名】明細書
【補正対象項目名】００１２
【補正方法】変更
【補正の内容】
【００１２】
また、本発明の景品払出機は、前記景品収納部に収納された景品部材および/または前記景品カートリッジを移動可能な移動機構を備えることを特徴とする。
【手続補正７】
【補正対象書類名】明細書
【補正対象項目名】００１３
【補正方法】変更
【補正の内容】
【００１３】
この発明によれば、移動機構を備え、この移動機構は、例えば、景品移動機構（例えば、リフト機構）やカートリッジ移動機構等から構成される。ここで、景品移動機構では、景品収納部に収納された景品部材を移動する動作を主に行い、カートリッジ移動機構では、景品カートリッジを移動する動作を主に行う。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
また、本発明の景品払出機は、施錠機構を有し、前記景品カートリッジを挿入する景品カートリッジ挿入口を閉鎖する開閉扉をさらに具備し、前記制御手段が、所定の指示に基づいて、施錠された前記施錠機構を開錠し、前記開閉扉を開扉可能にすることを特徴とする。
【手続補正１８】
【補正対象書類名】明細書
【補正対象項目名】００２４
【補正方法】変更
【補正の内容】
【００２４】
この発明によれば、施錠機構を有し、景品カートリッジ挿入口を閉鎖する開閉扉が設けられているので、例えば、従業員以外の者が景品カートリッジ挿入口内に装填されている景品カートリッジを取り出すことはできないため、防犯機能を向上させることができる。また、この施錠機構は、所定の指示に基づいて、自動的に開錠し開閉扉を開扉可能にすることができ、作業効率を向上させることができる。
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】変更
【補正の内容】
【００３２】
また、本発明の景品払出機は、前記景品収納部の景品部材の有無を検知する景品部材検知手段をさらに具備し、前記所定の指示が、前記景品部材検知手段から出力される情報に基づくものであることを特徴とする。
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】変更
【補正の内容】
【００３６】
また、本発明の景品払出機は、前記景品カートリッジを挿入する側に設けられた背面扉の開扉を検知する開扉検知手段をさらに具備し、前記所定の指示が、前記開扉検知手段から出力される情報に基づくものであることを特徴とする。
【手続補正２５】
【補正対象書類名】明細書
【補正対象項目名】００３８
【補正方法】変更
【補正の内容】
【００３８】
本発明の景品払出システムは、景品と交換すべく遊技媒体数に対応する遊技媒体数情報を入力する遊技媒体数情報入力手段と、前記遊技媒体数情報入力手段で入力された遊技媒体数情報から景品払出情報を算出し、該景品払出情報を出力する景品情報出力手段とを備える景品管理装置と、前記景品管理装置からの景品払い出し情報に基づいて、景品部材を積層して収納する景品収納部に収納された景品部材を搬送して払い出し可能であり、所定の指示に基づいて、該払い出し可能な状態を解除する制御手段を備え、前記景品管理装置と通信可能に接続された景品払出機とを具備することを特徴とする。
【手続補正２６】
【補正対象書類名】明細書
【補正対象項目名】００４０
【補正方法】変更
【補正の内容】
【００４０】
また、制御手段において、所定の指示に基づいて、景品払出機からの景品部材の払い出し可能な状態を解除することができる。ここで、景品部材の払い出し可能な状態を解除するとは、例えば、払い出しが可能な景品収納部の設定位置や、景品収容部に収容された景品部材を払い出しが可能な位置から、払い出しが不可能な位置に移動することを言う。また、この景品収納部からの払い出しが不可能な位置は、景品収納部から景品部材を払い出し部に搬送できない位置や、景品収納部を景品払出機から外部に取り出し可能な位置などを含む。
【手続補正２７】
【補正対象書類名】明細書
【補正対象項目名】００４１
【補正方法】変更
【補正の内容】
【００４１】
ここで、所定の指示とは、例えば、景品収納部の景品部材の有無を検知する景品部材検知手段から出力される情報に基づく情報、景品カートリッジの取り出しを指示する取出入力手段から出力される情報に基づく情報、景品カートリッジを挿入する側に設けられた景品払出機の背面扉の開扉を検知する開扉検知手段から出力される情報に基づく情報などが挙げられるが、これらに限られるものではなく、景品払出機に接続された、例えば、景品管理機（ＰＯＳ）などの外部機器からの情報に基づくものであってもよい。
【手続補正２８】
【補正対象書類名】明細書
【補正対象項目名】００４２
【補正方法】変更
【補正の内容】
【００４２】
また、本発明の景品払出システムは、前記景品払出機が、前記景品収納部を１つまたは複数有して構成される景品カートリッジを備えていることを特徴とする。
【手続補正２９】
【補正対象書類名】明細書
【補正対象項目名】００４３
【補正方法】変更
【補正の内容】
【００４３】
また、本発明の景品払出システムは、前記景品払出機が、前記景品収納部に収納された景品部材および/または前記景品カートリッジを移動可能な移動機構を備えることを特徴とする。
【手続補正３０】
【補正対象書類名】明細書
【補正対象項目名】００４４
【補正方法】変更
【補正の内容】
【００４４】
この発明によれば、移動機構を備え、この移動機構は、例えば、景品移動機構（例えば、リフト機構）やカートリッジ移動機構等から構成される。ここで、景品移動機構では、景品収納部に収納された景品部材を移動する動作を主に行い、カートリッジ移動機構では、景品カートリッジを移動する動作を主に行う。
【手続補正３１】
【補正対象書類名】明細書
【補正対象項目名】００４５
【補正方法】削除
【補正の内容】
【手続補正３２】
【補正対象書類名】明細書
【補正対象項目名】００４６
【補正方法】削除
【補正の内容】
【手続補正３３】
【補正対象書類名】明細書
【補正対象項目名】００４７
【補正方法】削除
【補正の内容】
【手続補正３４】
【補正対象書類名】明細書
【補正対象項目名】００４８
【補正方法】削除
【補正の内容】
【手続補正３５】
【補正対象書類名】明細書
【補正対象項目名】００４９
【補正方法】削除
【補正の内容】
【手続補正３６】
【補正対象書類名】明細書
【補正対象項目名】００５０
【補正方法】削除
【補正の内容】
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】削除
【補正の内容】
【手続補正３９】
【補正対象書類名】明細書
【補正対象項目名】００５３
【補正方法】削除
【補正の内容】
【手続補正４０】
【補正対象書類名】明細書
【補正対象項目名】００５４
【補正方法】削除
【補正の内容】
【手続補正４１】
【補正対象書類名】明細書
【補正対象項目名】００５５
【補正方法】変更
【補正の内容】
【００５５】
また、本発明の景品払出システムは、前記景品払出機が、施錠機構を有し、前記景品カートリッジを挿入する景品カートリッジ挿入口を閉鎖する開閉扉をさらに具備し、前記制御手段が、所定の指示に基づいて、施錠された前記施錠機構を開錠し、前記開閉扉を開扉可能にすることを特徴とする。
【手続補正４２】
【補正対象書類名】明細書
【補正対象項目名】００５６
【補正方法】変更
【補正の内容】
【００５６】
この発明によれば、施錠機構を有し、景品カートリッジ挿入口を閉鎖する開閉扉が設けられているので、例えば、従業員以外の者が景品カートリッジ挿入口内に装填されている景品カートリッジを取り出すことはできないため、防犯機能を向上させることができる。また、この施錠機構は、所定の指示に基づいて、自動的に開錠し開閉扉を開扉可能にすることができ、作業効率を向上させることができる。
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６４
【補正方法】変更
【補正の内容】
【００６４】
また、本発明の景品払出システムは、前記景品払出機が、前記景品収納部の景品部材の有無を検知する景品部材検知手段をさらに具備し、前記所定の指示が、前記景品部材検知手段から出力される情報に基づくものであることを特徴とする。
【手続補正４６】
【補正対象書類名】明細書
【補正対象項目名】００６６
【補正方法】削除
【補正の内容】
【手続補正４７】
【補正対象書類名】明細書
【補正対象項目名】００６７
【補正方法】削除
【補正の内容】
【手続補正４８】
【補正対象書類名】明細書
【補正対象項目名】００６８
【補正方法】変更
【補正の内容】
【００６８】
さらに、本発明の景品払出システムは、前記景品払出機が、前記景品カートリッジを挿入する側に設けられた背面扉の開扉を検知する開扉検知手段をさらに具備し、前記所定の指示が、前記開扉検知手段から出力される情報に基づくものであることを特徴とする。
【手続補正４９】
【補正対象書類名】明細書
【補正対象項目名】００７０
【補正方法】削除
【補正の内容】
【手続補正５０】
【補正対象書類名】明細書
【補正対象項目名】００７１
【補正方法】削除
【補正の内容】